(57)【要約】【課題】別体のスピーカボックスを配置せずにスピーカの背面からの音漏れを防止するカメラを提供することを課題とする。【解決手段】ファインダーボックス１４は、レンズ１７、１８で密閉された空室２６を有している。ファインダーボックス１４に取り付けられたスピーカ２０は、外へ向かって音を発するとともに背面２１Ｅが空室２６に対向している。スピーカ２０をファインダーボックス１４に取り付けてスピーカ２０の背面２１Ｅをファインダーボックス１４の空室２６に対向させることで、スピーカ２０の背面２１Ｅから発せられる音を外へ漏らさない。このため、スピーカ２０の背面からの逆位相の音が、スピーカ２０の前面からの音に干渉するのを防げるので、音量低下を回避できる。また、スピーカ２０を天面部１４Ａに設けているので、スピーカ２０が指等で塞がれる可能性も小さい。【選択図】　　　図１
2004126334.tif 000002
【特許請求の範囲】
【請求項１】
カメラ本体の上部に設けられたファインダーボックスと、
外へ向かって音を発するように前記ファインダーボックスに取り付けられるスピーカと、
を有することを特徴とするカメラ。
【請求項２】
前記スピーカが前記ファインダーボックスの天面部又は側面部に設けられたことを特徴とする請求項１記載のカメラ。
【発明の詳細な説明】
【０００１】
【発明の属する技術分野】
本発明は、スピーカを備えたカメラに関する。
【０００２】
【従来の技術】
デジタルカメラのスピーカ配置としては、図７に示すように、デジタルカメラ１００の裏面１０１に設けられたものが知られている（例えば、特許文献１参照）。この構成では、裏面１０１にあるスピーカ１０２の前面から出力される音をユーザーが聞き取ることになるが、スピーカ１０２の背面からも筐体１１０の内部へ向かって音が出力される。
【０００３】
ここで、スピーカ１０２の前面から出力される音と背面から出力される音とは、逆位相であるので、背面からの音が筐体１１０の隙間等から漏れると、背面からの音が、前面からの音に干渉して前面からの音を打ち消してしまう。このため、ユーザーの聞き取れる音量が小さくなっていた。
【０００４】
一方、スピーカ１０２の背面にスピーカボックスを配置してスピーカ１０２の背面から出力された音を密閉する場合（図示省略）には、部品点数が増えるとともに、デジタルカメラ１００を大型化してしまうという問題があった。
【０００５】
【特許文献１】
特開２０００−２９２８４２公報（第４頁、第３図）
【０００６】
【発明が解決しようとする課題】
本発明は、上記事実を考慮して、別体のスピーカボックスを配置せずにスピーカの背面からの音漏れを防止するカメラを提供することを課題とする。
【０００７】
【課題を解決するための手段】
請求項１に記載する本発明のカメラは、カメラ本体の上部に設けられたファインダーボックスと、外へ向かって音を発するように前記ファインダーボックスに取り付けられるスピーカと、を有することを特徴とする。
【０００８】
請求項１に記載する本発明のカメラによれば、ファインダーボックスは、窓で密閉された空室を有している。ファインダーボックスに取り付けられたスピーカは、外へ向かって音を発するとともに背面が空室に対向している。
【０００９】
このように、スピーカをカメラ本体の裏面にそのまま配設せず、スピーカをファインダーボックスに取り付けてスピーカの背面をファインダーボックスの空室に対向させることで、スピーカの背面から発せられる音を外へ漏らさない。結果として、スピーカの背面から発せられる逆位相の音が、スピーカの前面からの音に干渉するのを防げることができるので、音量低下を回避することができる。また、特殊な部品を収納するためにカメラ本体に開口部を設けたとしても、その開口部から音が漏れるということがない。
【００１０】
請求項２に記載する本発明のカメラは、請求項１の構成において、前記スピーカが前記ファインダーボックスの天面部又は側面部に設けられたことを特徴とする。
【００１１】
請求項２に記載する本発明のカメラによれば、スピーカがファインダーボックスの天面部又は側面部に設けられている。スピーカをファインダーボックスの天面部に設ける場合には、スピーカが指等で塞がれる可能性を小さくでき、側面部に設ける場合には、スピーカからの音がユーザー側へ伝わりやすくなる。
【００１２】
【発明の実施の形態】
本発明におけるカメラの実施の形態を図面に基づき説明する。
【００１３】
図６は、デジタルカメラ１０（図４参照）の結像から画像記録までの内部概略構造が示されている。図６に示すように、デジタルカメラ１０（図４参照）は、撮影レンズ群２８が内包されたレンズ鏡筒２９を備え、レンズ鏡筒２９の後方には、固体撮像素子としてのＣＣＤ３０が配置されている。撮影レンズ群２８を通ってＣＣＤ３０上で結像した像が、画像処理部３２で画像処理され、ディスプレイ６０上に表示されるようになっている。ここで、レソーズボタン５０（図４参照）を押すとディスプレイ６０に表示された画像が画像記録部６２に記録される。
【００１４】
図４に示すように、このデジタルカメラ１０の筐体１１には、ファインダー１２のファインダーボックス１４が組み付けられている。ファインダーボックス１４は、覗きやすいようにデジタルカメラ１０の上部に配置されている。図１は、ファインダー１２の光軸に沿った垂直断面図である。図１に示すように、ファインダーボックス１４は、光漏れを防止するために密閉構造とされており、断面略長方形の筒状体をなしている。ファインダーボックス１４の両端部に形成された開口部１５、１６には、覗き窓としてのレンズ１７、１８が嵌め込まれて開口部１５、１６を塞いでいる。レンズ１７、１８により、撮影画角を直接目視できるようになっている。なお、２枚のレンズ１７、１８のうち撮影者が覗くレンズ１８の外側には、カバー１９が設けられている。
【００１５】
図２及び図３に示すように、ファインダーボックス１４の天面部１４Ａには、スピーカ２０が取り付けられている。スピーカ２０は、図３に示すように、振動板２１を備えている。振動板２１は、フラットタイプで平面的な形状をしている。振動板２１の外縁には、円形のフレーム２１Ａが設けられている。振動板２１の背面中央には、永久磁石２１Ｂが配置されている。この永久磁石２１Ｂの外周面には、ボイスコイル２１Ｃが巻き付けられている。また、永久磁石２１Ｂの下部は、円筒状のヨーク２１Ｄに挿入されており、このヨーク２１Ｄは、底のある略円筒状をしている。
【００１６】
振動板２１の背面側にはリード線２２が接続されている。リード線２２は、ファインダーボックス１４を貫通する端子２５Ｃに半田付けされ、ケーブル（図示省略）を介して筐体１１（図４参照）の中にあるドライブ基板（図示省略）に接続されている。
【００１７】
また、振動板２１は、表面側がスピーカネット２４に覆われるとともにリング２３によって外周を固定され、ファインダーボックス１４の天面部１４Ａに形成されたハウジング２５に収納されている。
【００１８】
ハウジング２５で囲まれたファインダーボックス１４には、複数の孔２５Ａが円周上に形成されている。この孔２５Ａに囲まれたハウジング２５の中央には、スピーカ２０のヨーク２１Ｄに対応してスピーカ２０設置用の開口部２５Ｂが設けられている。この開口部２５Ｂにヨーク２１Ｄが嵌め合わされて外側からスピーカ２０がファインダー１２に取り付けられるようになっている。この結果、スピーカ２０の背面２１Ｅがファインダーボックス１４の空室２６（図１参照）に対向する構成になっている。なお、ファインダーボックス１４の内周面には、吸音材が配置されていることが好ましい。
【００１９】
ここで、スピーカ２０をファインダーボックス１４に取り付ける手順について説明する。
【００２０】
まず、振動板２１をスピーカネット２４で覆い、リング２３によって外周を固定する。そして、振動板２１の背面側から延びるリード線２２を端子２５Ｃに半田付けする。次に、ケーブル（図示省略）によって、端子２５Ｃをドライブ基板（図示省略）に接続させる。最後に、スピーカ２０をハウジング２５に収納して取り付ける。
【００２１】
以上説明した実施形態の変形例としては、図５に示すように、一眼レフカメラ４０のファインダーボックス４２にスピーカ４４を取り付けても良い。
【００２２】
次に、上記の実施形態の作用を説明する。
【００２３】
図１に示すように、ファインダーボックス１４は、レンズ１７、１８で密閉された空室２６を有している。ファインダーボックス１４に取り付けられたスピーカ２０は、外へ向かって音を発するとともに背面２１Ｅが空室２６に対向している。
【００２４】
このように、スピーカ２０をカメラ本体の裏面にそのまま配設せず、スピーカ２０をファインダーボックス１４に取り付けてスピーカ２０の背面２１Ｅをファインダーボックス１４の空室２６に対向させることで、スピーカ２０の背面２１Ｅから発せられる音を外へ漏らさない。結果として、スピーカ２０の背面２１Ｅから発せられる逆位相の音が、スピーカ２０の前面からの音に干渉するのを防げることができるので、音量低下を回避することができる。
【００２５】
また、スピーカ２０をファインダーボックス１４の天面部１４Ａに設けているので、スピーカ２０が指等で塞がれる可能性を小さくできる。
【００２６】
なお、上記の実施の形態では、ファインダーボックスにハウジングを設け、そのハウジングにスピーカを取り付ける構成としているが、本発明はこれに限定されず、例えば、ファインダーボックスに開口部を設け、その開口部に直接スピーカを取り付ける構成としても良い。
【００２７】
また、上記においては、振動板として平面的な形状のものを例にとって、本発明の実施の形態を具体的に説明したが、コーン等の立体的な形状であっても良く、振動板の形状はこれに限定されるものではない。
【００２８】
さらに、上記の実施の形態では、ファインダーボックスの天面部にスピーカを設ける構成としているが、本発明はこれに限定されず、例えば、ファインダーボックスの側面部１４Ｂ（図２参照）にスピーカを設ける構成としても良い。
【００２９】
【発明の効果】
以上説明したように、本発明によれば、別体のスピーカボックスを配置せずにスピーカの背面からの音漏れを防止できるという優れた効果を有する。
【図面の簡単な説明】
【図１】本発明の実施の形態に係るカメラにおいて、ファインダーの光軸に沿った垂直断面図である。
【図２】本発明の実施の形態に係るカメラにおいて、ファインダーを示した拡大斜視図である。
【図３】本発明の実施の形態に係るカメラにおいて、ファインダーボックスに取り付けられるスピーカを分解して示した拡大斜視図である。
【図４】本発明に係るカメラの実施例を示す背面斜視図である。
【図５】本発明の実施例の変形例を示す断面図である。
【図６】カメラの結像から画像記録までの内部概略構造を示す図である。
【図７】従来のデジタルカメラを示す背面斜視図である。
【符号の説明】
１４　　ファインダーボックス
１４Ａ　天面部
１４Ｂ　側面部
１７、１８　レンズ（窓）
２０　　スピーカ
２１Ｅ　背面
２６　　空室
【図１】
2004126334.tif 000003
【図２】
2004126334.tif 000004
【図３】
2004126334.tif 000005
【図４】
2004126334.tif 000006
【図５】
2004126334.tif 000007
【図６】
2004126334.tif 000008
【図７】
2004126334.tif 000009